(57)【要約】シェル（１１）と、パッド（１２）と、パッドの覆いカバー（１３）とを備える種類の自転車のサドル（１０）である。シェル（１１）は、パッド（１２）の対応する部分（１６）を収容するように、使用のための配置で上向きの凹部（１５）が形成されている、少なくとも１つの部位（１４）を有する。
2015508036.tif 000002
【特許請求の範囲】
【請求項１】
シェル（１１）と、パッド（１２）と、パッドの覆いカバー（１３）とを備える種類の自転車のサドル（１０）であって、シェル（１１）は、パッド（１２）の対応する部分（１６）を収容するように、使用のための配置で上向きの凹部（１５）が形成されている、少なくとも１つの部位（１４）を有することを特徴とする、自転車のサドル。
【請求項２】
上向きの凹部が形成された部位（１４）は、サドルの前方端の端部から、実質的に、使用者の臀部を支持するための後部広幅部位（１８）の開始部（１９）まで延びていることを特徴とする、前記請求項に記載の自転車のサドル。
【請求項３】
上向きの凹部が形成された部位（１４）は、横断面が実質的にＵ字形状であることを特徴とする、前記請求項に記載の自転車のサドル。
【請求項４】
後部広幅部（１８）は２つの側部（２０，２１）を有し、これらの側部は、パッド（１２）の対応する部分（２３）のための対応する支持領域を形成するように、中央部（２２）から外向きかつ上向きに延びていることを特徴とする、前記請求項に記載の自転車のサドル。
【請求項５】
上向きの凹部が形成された部位（１４）のパッド（１２）の部分（１６）のカバー（１３）の領域（２４）は、凹部（１５）の上端縁（２５）でシェル（１１）に対して閉鎖かつ固定されていることを特徴とする、前記請求項に記載の自転車のサドル。
【発明の詳細な説明】
【技術分野】
【０００１】
本発明は、自転車のサドルに関する。
【背景技術】
【０００２】
通常、競技用自転車、マウンテンバイク、シティバイク等のためのサイクリングサドルは、４つの部分、すなわちフレーム、シェル、パッド、及びカバーに区別できる。
【０００３】
既知のサドルでは、シェルは、長さ方向の全体で下向きの凹部を有する実質的に凹状の形状を有し、一般に、シェルへの固定のための３点、すなわち前方点、及び２つの後方点を形成するように金属棒を曲げ加工したフレームは、殆ど凹部内に配置されていて、実質的な見えない。
【０００４】
このようなシェルを有するサドルは、広範に普及して評価されてはいるものの、上側凸状面を覆うパッドの厚みが限定されているという欠点を有し、到底快適ではない。
【０００５】
さらに、シェルがこのような形状であるので、縫付、糊付、又は固定されるまで、シェルの外側を下向きであるシェルの両端部まで完全に覆うカバーが必要である。
【０００６】
この場合、外側が完全に覆われたシェルは、形状を除いて、サドルの美観には影響をせず、パッドの中央部が除かれていてシェルがこの領域で種々に打ち抜かれているという特定の場合を除いて、サドルの表面外観はカバーに委ねられている。
【発明の概要】
【発明が解決しようとする課題】
【０００７】
本発明の課題は、既知のサドルについて言及した欠点を回避可能な自転車のサドルを提供することである。
【０００８】
この課題の範囲内で、本発明の目的は、既知の種類の同様のサドルよりも、より快適な自転車のサドルを提供することである。
【０００９】
本発明の他の目的は、既知のサドルと比べて、新しく、かつ特徴的な美観を与え得るサドルを提供することである。
【００１０】
本発明のさらに他の目的は、既知のサドルと同様の方法で既存の自転車に取付可能なサドルを提供することである。
【００１１】
本発明の別の目的は、既知の設備と技術で製造可能な自転車のサドルを提供することである。
【課題を解決するための手段】
【００１２】
これらの目的及びここで後に明らかとする他の目的は、シェルと、パッドと、パッドの覆いカバーとを備える種類の自転車のサドルであって、シェルは、パッドの対応する部分を収容するように、使用のための配置で上向きの凹部が形成されている、少なくとも１つの部位を有することを特徴とする、自転車のサドルにより達成される。
【００１３】
本発明の他の特徴及び利点は、好ましいものであるがそれに限定的されない、本発明に係る自転車のサドルの実施形態から明らかとなり、これらは添付図面に非限定的な例として図示されている。
【図面の簡単な説明】
【００１４】
【図１】本発明に係るサドルの斜視図。
【図２】本発明に係るサドルのシェルの斜視図。
【図３】本発明に係るサドルの側面図。
【図４】図３の断面IV−IVでの断面図。
【図５】図３の断面Ｖ−Ｖでの断面図。
【発明を実施するための形態】
【００１５】
図面を参照すると、本発明に係る自転車のサドルは参照番号１０で概ね示されている。
【００１６】
サドル１０は、シェル１１、パッド１２、及びパッドのための覆いカバー１３を備え、カバー１３は図４及び図５の断面図上で見える。
【００１７】
シェル１１は、パッド１２の対応する部分１６を収容するようになっている、使用のための配置で上向きの凹部１５が形成された部位１４を有する。
【００１８】
上向きの凹部を有する部位１４は、ここで説明する構造の例では、サドルの前方端の端部１７から、実質的に、使用者の臀部を支持するための後部広幅部位１８の前端まで延びており、この前端は図２において破線１９で表されている。
【００１９】
図５に明確に図示されているように、上向きの凹部を有する部位１４は、横断面が実質的にＵ字形状である。
【００２０】
後部広幅部１８は２つの側部２０，２１を有し、これらの側部２０，２１は、パッドの対応する部分２３のための対応する支持領域を形成しているように、中央部２２から外向きかつ上向きに延びている。
【００２１】
上向きの凹部が形成された部位１４のパッド１２の部分１６のカバー１３の領域２４は、凹部１５の上端縁２５でシェル１１に対して閉鎖かつ固定され、上向き窪みを有する部位１４の外面が見えている。
【００２２】
上述のシェル１１は、例えば樹脂材料の成型により製造できる。
【００２３】
既知の種類のサドルと同様に、サドル１１は、支持フレームの３つの対応する端部を固定するための、上側ポケット２８と２つの後方孔２９，３０を備えるが、支持フレームは簡略化のため図示されておらず、それ自体は既知の種類のものと同様である。
【００２４】
実際上、本発明は意図した目的を達成していることが明らかになっている。
【００２５】
特に、本発明は、前端部位と後方広幅部の窪みが下向きの凹部である既知の種類のサドルよりも厚いパッドを支持できように、上側部分が上向きの凹部を有し、かつ後部広幅部が外向きかつ上向きに延びる前述の側部を備えるようにシェルが形成されていることにより、既知の種類の同様のサドルよりも快適なサドルを提供する。
【００２６】
さらに、本発明は、シェルの少なくとも前方尖部がパッドとカバーを取り付けた後であっても見えることで、既知のサドルと比べて、新しく、かつ特徴的な美観を与えるサドルを提供する。
【００２７】
本発明に係るサドルは、既知のサドルと同様に既存の自転車に取付可能である。
【００２８】
最後ではあるが特に、本発明は既知の設備と技術で製造可能な自転車のサドルを提供する。
【００２９】
すべて添付の請求項の範囲に含まれる、多数の変更及び変形が可能であり、あらゆる細部は他の技術的に均等な要素で置換してもよい。
【００３０】
実際上、具体的な用途と付随する形状及び寸法に適合する限り、要求と技術的状況に応じて使用される材料はどのようなものでもよい。
【００３１】
この出願が優先権を主張するイタリア特許出願第ＰＤ２０１２Ａ００００４４は参照することで、本説明に組み込まれる。
【００３２】
請求項で言及される技術的特徴に参照符号が付されている場合、これらの参照符号は理解を容易にするということのみを目的として含まれているので、そのような参照符号は、参照符号により例示的に特定される各要素の解釈に限定的な影響は与えない。
【符号の説明】
【００３３】
１０  サドル
１１  シェル
１２  パッド
１３  カバー
１４  部位
１５  凹部
１６  部分
１７  端部
２４  領域
２５  上端
【図１】
2015508036.tif 000003
【図２】
2015508036.tif 000004
【図３】
2015508036.tif 000005
【図４】
2015508036.tif 000006
【図５】
2015508036.tif 000007
【国際調査報告】
2015508036.tif 000008
2015508036.tif 000009